(57)【要約】      （修正有）【課題】高位置の苗箱運搬車両から低位置の田植機へ苗箱を搬送するためのコンベアであって、簡単な構造で安価に制作でき、小規模経営の農家でも容易に導入可能である苗箱搬送用コンベアを提供する。【解決手段】平行する２本の桟木の間に複数のパイプを梯子状に組んだ構造を有する。桟木としては、トラック９から田植機１１までの距離をカバーできる長尺の角材を使用する。パイプは、合成樹脂材の小径のものを桟木に対して回転が自由になるように設置する。また、田植機上にはコンベアを受けるための横バー１０がコンベア長手方向に対して直角に配置され、桟木の田植機側の各端部には鉤状のフックが設置され、田植機上の横バーにコンベアを固定できる。トラックからローラー移動してくる苗箱１２を止めるために、２本の桟木の田植機側の端部には棒状のストッパーが設置される。【選択図】図１
0003188336.tif 000002
【実用新案登録請求の範囲】
【請求項１】
高位置の苗箱運搬車両から低位置の田植機へ苗箱を搬送するためのコンベアであって、
平行する２本の長尺な桟木と、
前記２本の桟木間に回転自由に配置された複数のパイプと、
を有し、前記高位置の苗箱運搬車両上の苗箱が、前記回転自由に配置された複数のパイプ上を重力によってローラー移動し、前記低位置の田植機へと搬送されることを特徴とする苗箱搬送用コンベア。
【請求項２】
前記２本の長尺な桟木の田植機側の端部には、田植機上に配置された横バーにコンベアを固定するための鉤状のフックが設置されていることを特徴とする請求項１記載の苗箱搬送用コンベア。
【請求項３】
前記２本の長尺な桟木の田植機側の端部には、前記苗箱運搬車からローラー移動する苗箱を前記田植機上の前記桟木端部において撞止させるための棒状のストッパーが設置されていることを特徴とする請求項１又は２記載の苗箱搬送用コンベア。
【考案の詳細な説明】
【技術分野】
【０００１】
本考案は、苗箱の受け渡しを行うための搬送用ローラーコンベアに関する。
【背景技術】
【０００２】
現在、我が国では田植機による田植えが一般的である。苗は、育苗箱（幅約３０ｃｍ、長さ約６０ｃｍ、厚さ約３ｃｍ）という浅い盆状の箱の底にマットを敷いて育てられ、田植え時に、そのままトラック等により田圃近くまで運ばれる。
【０００３】
トラック等で運ばれた育苗箱（以後、「苗箱」という）は、最後は人力により田圃内の田植機近くまで運ばれ、苗は苗箱からマットごと取り外され、田植機の斜めになった台に並べられる。このトラックから田植機までの搬送は、従来は手渡しであったが、現在は、トラック上の棚からアームを伸ばし田植機に苗を渡すものも市販されている。
【先行技術文献】
【特許文献】
【０００４】
【特許文献１】特開平４−２７８００６号
【特許文献２】特開平４−４７３０９号
【特許文献３】特開２００３−３１０００６号
【考案の概要】
【考案が解決しようとする課題】
【０００５】
田植機と苗箱を積んだトラックとの間には水路や高低差があり、苗箱を両手で持っての移動は足元が見えないので危険である場合が多い。
【０００６】
上述の課題を解決すべく、特許文献１にはトラック荷台の苗箱キャリアと田植機までのコンベアを有する苗補給システムの発明が、また特許文献２には苗箱を田植機に送り空箱を回収できる上下２段の苗供給コンベアの発明が、さらに特許文献３にはトラックの荷台に配備される数段の高さのコンテナから田植機までアームを伸ばして苗箱を送り空箱を籠に落とすシステムの発明が開示されているが、いずれのものも作りが複雑で、制作に多額の費用がかかることが予想される。
【０００７】
現在市販されている、トラック上の棚からアームを伸ばし田植機に苗を渡すシステムは、上述した各発明のいずれかを商品化したものであるが、このタイプのものは高価であり、大きなコンテナ等の付随設備が必要となるため、小規模経営の農家では導入は困難である。
【０００８】
以上の問題を解決すべく、本考案においては、簡単な構造で安価に制作でき、大きなコンテナ等の付随設備も必要なく、小規模経営の農家でも容易に導入可能である苗箱搬送用コンベアを提供することを課題とする。
【課題を解決するための手段】
【０００９】
上記課題を解決するため、本考案に係る苗箱搬送用コンベアは、平行する２本の桟木の間に複数のパイプを梯子状に組んだ簡単な構造となっている。
【００１０】
前記平行する２本の桟木としては、通常考えられるトラックから田植機までの距離をカバーできるほどの長尺の角材を使用する。前記複数のパイプとしては、合成樹脂材の小径のパイプを前記桟木に対して回転が自由になるように設置する。
【００１１】
また、田植機上にはコンベアを受けるための横バーがコンベア長手方向に対して直角に配置され、前記２本の桟木の田植機側の各端部には鉤状のフックが設置されていて、前記横バーにコンベアを固定できるようなっている。
【００１２】
田圃と道路の位置関係は、おおむね田圃の方が低くなっている。そこで、コンベアをトラックから田植機へ渡し、その傾斜を利用して苗箱が流れるようにローラー移動する。
【００１３】
トラックから流れてくる苗箱を止めるために、前記２本の桟木の田植機側の端部には棒状のストッパーが設置されている。
【考案の効果】
【００１４】
田植機を操作する人と、苗を渡す人、それぞれがその場を移動する必要がなく、作業者の足腰への負担が軽減される。結果として、従来行われてきた田植えの準備のための重労働を大きく軽減することができる。
【００１５】
傾斜地や水路などの障害物を気にすることなく安全に作業することができる。
【００１６】
構造が簡単で、安価に制作でき、付随する設備も必要としないため、小規模経営の農家でも、容易に導入することが可能となる。
【図面の簡単な説明】
【００１７】
【図１】苗箱搬送用ローラーコンベアを使用しての作業の概念図である。
【図２】苗箱搬送用ローラーコンベアの（Ａ）正面図、（Ｂ）左側面図、（Ｃ）右側面図である。
【図３】実施形態１における図２のａ−ａ´拡大断面図である。
【図４】実施形態２における図２のａ−ａ´拡大断面図である。
【考案を実施するための形態】
【００１８】
以下、本考案の実施形態を２例、図面を参照して説明する。
【００１９】
（実施形態１）
図１に示すように、本考案に係る苗箱搬送用コンベア１は、平行する２本の長尺の桟木２と、２本の桟木２の間に回転自由に配置された複数のパイプ３によって構成されている。本実施形態では、桟木２の材料としては簡単に入手可能な角材を使用し、長さは約３０００ｍｍ、桟木２の間の距離は苗箱１２の幅（約３００ｍｍ）を考慮し、約３５０ｍｍとする。また、パイプ３は市販の小径の塩化ビニール製のものを使用し、長さ約６００ｍｍの苗箱１２がスムースに流れるよう、等間隔に１０本以上を、後述の方法により、桟木２に対して回転自由に設置する（図２）。
【００２０】
図３は図２のａ−ａ´拡大断面図で、パイプ３の桟木２への設置方法を示す。パイプ３の両端近傍の内部には、パイプ３を内側から支持するため、軸方向に空洞６１を有する長さ３０ｍｍほどの円柱のコマ６を配置し、空洞６１に木ビス７を通して、桟木２に対して回転自由となるように軸着させる。コマ６は桟木２に対して、また、パイプ３はコマ６に対して回転自由であるため、苗箱１２は重力によりコンベア１上をスムースにローラー移動する。また、コンベア１の幅を固定するため、両端近傍及び中央の３箇所において桟木２の間に長尺ボルト８を通して２本の桟木２を固定する（図２）。
【００２１】
２本の桟木２の端部には鉤状のフック４が設置されている（図２）。一方、田植機１１上にはコンベア１を支持するための横バー１０が設置されている（図１）。コンベア１の使用時には、フック４を横バー１０にかけて田植機１１側のコンベア１の位置を固定する。田植機１１とトラック９の距離については、トラック９の荷台へのコンベア１の掛け幅によって調節する。
【００２２】
図１及び図２に示すように、コンベア１の田植機１１側端部には、桟木２の上面にまたがって棒状のストッパー５が固設されており、流れてきた苗箱１２はストッパー５により撞止する構成となっている。
【００２３】
（実施形態２）
本実施形態と上述の実施形態１との違いは、パイプの取付方法の違いにある。
【００２４】
実施形態１においては、図３に示すように、パイプ３はコマ６に対して回転自由としたが、本実施形態においては、制作をさらに簡単にするため、図４に示すように、前もってコマ６をパイプ内面３１に接着させておく。また、木ビス７はパイプの内部からコマ空洞６１に差し込むのではなく、桟木２の側面から打ち込むこととする。
【００２５】
上述の方法により、コマとパイプを同時に桟木に設置することができるため、制作に要する手間が減少する。コマはパイプに対して固定であるが、木ビスに対しては空洞６１によって回転自由であるため、パイプ３の桟木２に対する自由は確保される。
【００２６】
以上、本考案の有する特徴、及び優れた点を、考案の構造と機能の詳細をあげて上記実施形態に記載したが、本考案は、本考案の原理の範囲内で、本願の実用新案登録請求の範囲で使用されている言葉を広く一般的な意味にまで広げて、細かな点、特に桟木及びパイプの素材、大きさ、配置、又は数を変更しての実施が可能である。特にコンベアの長さとパイプの桟木への着設方法については、様々なものとすることが可能であり、それらの相違は本考案の技術的範囲を逸脱するものではない。
【符号の説明】
【００２７】
１    苗箱搬送用ローラーコンベア
２    桟木
３    パイプ
３１  パイプ内面
４    フック
５    ストッパー
６    コマ
６１  空洞
７    木ビス
８    幅固定用長尺ボルト
９    トラック
１０  横バー
１１  田植機
１２  苗箱
１３  田圃
１４  斜面（落差）
【図１】
0003188336.tif 000003
【図２】
0003188336.tif 000004
【図３】
0003188336.tif 000005
【図４】
0003188336.tif 000006